(57)【要約】【課題】  ケースに設けられた開口部を膜状部材によって開閉する空気通路開閉装置において、膜状部材が異物を巻き込む可能性を低くする。【解決手段】  空気流が流れるケース（１ａ）と、ケース（１ａ）内に配置された開口部（１３ａ、１５ａ）と、開口部（１３ａ、１５ａ）を開閉する膜状部材（１６、２２）と、開口部（１３ａ、１５ａ）の外側に膜状部材（１６、２２）の下端側を固定する固定部（１７、２３）と、膜状部材（１６、２２）の上端側に巻回された膜状部材巻き取り軸（１８、２４）と、膜状部材巻き取り軸（１８、２４）を、膜状部材（１６，２２）の空気上流側の面上で回転させながら、固定部（１７、２３）に対して離間または接近するように移動させて、膜状部材（１６、２２）の巻き取り、送り出しを行なう膜状部材操作機構（１９、２５）とを備えるようにする。【選択図】      図１
2005199988.tif 000002
【特許請求の範囲】
【請求項１】
空気流が流れるケース（１ａ）と、
前記ケース（１ａ）内に配置された開口部（１３ａ、１５ａ）と、
前記開口部（１３ａ、１５ａ）を開閉する膜状部材（１６、２２）と、
前記開口部（１３ａ、１５ａ）の外側に前記膜状部材（１６、２２）の下端側を固定する固定部（１７、２３）と、
前記膜状部材（１６、２２）の上端側に巻回された膜状部材巻き取り軸（１８、２４）と、
前記膜状部材巻き取り軸（１８、２４）を、前記膜状部材（１６，２２）の空気上流側の面上で回転させながら、前記固定部（１７、２３）に対して離間または接近するように移動させて、前記膜状部材（１６、２２）の巻き取り、送り出しを行なう膜状部材操作機構（１９、２５）とを備えることを特徴とする空気通路開閉装置。
【請求項２】
前記膜状部材操作機構（１９、２５）は、前記固定部（１７、２３）よりも前記膜状部材巻き取り軸（１８、２４）の方が空気上流側に位置するように前記膜状部材巻き取り軸（１８、２４）を移動させることを特徴とする請求項１に記載の空気通路開閉装置。
【発明の詳細な説明】
【技術分野】
【０００１】
本発明は膜状部材によって開口部を開閉する空気通路開閉装置に関するものである。
【背景技術】
【０００２】
従来、開口部を有する可撓性の膜状部材の両端をそれぞれ巻き取り軸に連結し、膜状部材の両端を巻き取ることにより膜状部材を空調ケース内にて移動させ、それにより、膜状部材の開口部を空調ケース側の空気通路に対して移動させて、空調ケース側の空気通路の開閉を行う空気通路開閉装置が知られている（例えば特許文献１）。
【０００３】
この種の空気通路開閉装置は、膜状部材が空調ケース側の空気通路の開口部上を摺動しながら移動するので、膜状部材には必然的に空調ケースとの間の摩擦力が作用する。しかも、膜状部材は送風空気の風圧により空気通路の開口部上に押し付けられるので、膜状部材の摺動による摩擦力を一層増大させるという問題があった。
【０００４】
そこで、本発明の発明者らは、空気通路を成すケースと、このケース内に設けられた開口部を開閉する膜状部材とを有する空気通路開閉装置として、膜状部材の上端側を開口部の外側に固定する固定部と、膜状部材の下端側に巻回された膜状部材巻き取り軸と、この膜状部材巻き取り軸を、膜状部材の空気上流側の面上で回転させながら上記固定部に対して離間または接近する方向に移動させて、膜状部材の巻き取り、送り出しを行なう膜状部材操作機構とを備える空気通路開閉装置を提案している（特願２００３−０２９５９７号）。
【０００５】
この空気通路開閉装置によれば、膜状部材が空調ケース側の空気通路の開口部上を摺動することなく、空気通路の開閉を行なうことが可能である。
【特許文献１】特開平５−２３８２４４号公報
【発明の開示】
【発明が解決しようとする課題】
【０００６】
ところで、上記特願２００３−０２９５９７号に記載の空気通路開閉装置は、膜状部材巻き取り軸が、膜状部材の空気流れ上流側で上記固定部の下方に位置しているため、ケース内に混入した異物が膜状部材に衝突し、膜状部材に沿って落下して膜状部材巻き取り軸と膜状部材との間に入り込んだ際に、膜状部材が異物を巻き込んでしまう。
【０００７】
膜状部材が異物を巻き込んだ場合、開口部のシール性の悪化による異音の発生、ひいては膜状部材操作機構の作動不良に繋がる恐れがある。
【０００８】
本発明は上記のような問題点に鑑みてなされたもので、ケースに設けられた開口部を膜状部材によって開閉する空気通路開閉装置において、膜状部材が異物を巻き込む可能性を低くすることを目的とする。
【課題を解決するための手段】
【０００９】
上記課題を解決するため、請求項１に記載の記載の発明は、空気流が流れるケース（１ａ）と、ケース（１ａ）内に配置された開口部（１３ａ、１５ａ）と、開口部（１３ａ、１５ａ）を開閉する膜状部材（１６、２２）と、開口部（１３ａ、１５ａ）の外側に膜状部材（１６、２２）の下端側を固定する固定部（１７、２３）と、膜状部材（１６、２２）の上端側が巻回された膜状部材巻き取り軸（１８、２４）と、膜状部材巻き取り軸（１８、２４）を、膜状部材（１６、２２）の空気上流側の面上で回転させながら固定部に対して離間または接近するように移動させて、膜状部材（１６、２２）の巻き取り、送り出しを行なう膜状部材操作機構（１９、２５）とを備えることを特徴とする。
【００１０】
上記請求項１に記載の発明によれば、膜状部材巻き取り軸（１８、２４）は、膜状部材（１６、２２）の上端に設けられているので、異物が膜状部材（１６、２２）に衝突し、膜状部材（１６、２２）の空気上流側端面に沿って落下したとしても、その異物が膜状部材巻き取り軸（１８、２４）と膜状部材（１６、２２）との間に入り込むことがなく、膜状部材（１６、２２）が異物を巻き込む可能性を低くすることができる。
【００１１】
また、請求項２に記載の発明は、請求項１に記載の発明において、膜状部材操作機構（１９、２５）は、固定部（１７、２３）よりも膜状部材巻き取り軸（１８、２４）の方が空気上流側に位置するように膜状部材巻き取り軸（１８、２４）を移動させることを特徴とする。
【００１２】
この請求項２に記載の発明によれば、固定部（１７、２３）よりも膜状部材巻き取り軸（１８、２４）の方が空気上流側に位置しているので、膜状部材（１６、２２）は空気流に対して傾いている。このため、空気流は、膜状部材（１６、２２）の空気上流側表面に沿って膜状部材巻き取り軸（１８、２４）側から固定部（１９、２３）側に向かって流れる。
【００１３】
よって、異物が膜状部材（１６、２２）の空気上流側表面に衝突した場合でも、異物は膜状部材（１６、２２）の空気上流側表面に沿って流れる空気流によって固定部（１７、２３）側に押し出されることになるが、このとき膜状部材巻き取り軸（１８、２４）は固定部（１７、２３）よりも空気上流側、即ち、固定部（１７、１９）とは反対側にあるため、膜状部材（１６、２２）と膜状部材巻き取り軸（１８、２４）との間に異物が入り込む可能性を更に低くすることができる。
【００１４】
尚、上記各手段に付した括弧内の符号は、後述する実施形態記載の具体的手段との対応関係を示す一例である。
【発明を実施するための最良の形態】
【００１５】
以下、本発明の実施形態を図１ないし図３を用いて説明する。
【００１６】
（本実施形態構成）
図１は本発明を車両用空調装置に適用した場合の全体構成を示しており、本実施形態における車両用空調装置の空調ユニット部１は、樹脂製の空調ケース１ａを有している。この空調ケース１ａは、自動車の車室内計器盤内側の車両幅（左右）方向の略中央部位に配置され、かつ車両の前後、上下、左右方向に対して図１、図２の矢印に示すように配置される。
【００１７】
空調ケース１ａ内部の最も車両前方側部位には、図示しない送風ユニットの送風空気が接続ダクト１ｂ（図２参照）を介して流入する空気入口空間２が形成されている。
【００１８】
左ハンドル車の場合には、この接続ダクト１ｂが空調ケース１ａの助手席側の面（車両右側の面）に配置され、車室内計器盤内側の助手席側に配置される送風ユニット（図示せず）の空気出口部が図２の接続ダクト１ｂに接続される。
【００１９】
従って、送風ユニット内の送風機が作動することによって、接続ダクト１ｂから空気入口空間２内に空気が流入する（図２参照）。
【００２０】
空調ケース１ａ内には、その空気上流側から順に蒸発器３、ヒータコア４が設けられている。この蒸発器３は周知の冷凍サイクルに設けられ、空調ケース１ａ内への送風空気から冷媒が吸熱して蒸発することにより送風空気を冷却する冷却用熱交換器である。また、ヒータコア４は、車両エンジンの温水（エンジン冷却水）を熱源として空調ケース１ａ内の空気を加熱する加熱用熱交換器である。
【００２１】
空調ケース１ａの空気下流端には複数の吹出開口部５〜１０が形成されている。このうち、デフロスタ開口部５は空調ケース１ａの上面部に配置され、図示しないデフロスタダクトが接続され、このデフロスタダクト先端部のデフロスタ吹出口から空調空気を車室内フロントガラス内面に向けて吹き出すものである。また、前席側フェイス開口部６は空調ケース１ａの車両後方側の面の上部に配置され、図示しない前席側フェイスダクトが接続され、このフェイスダクト先端部のフェイス吹出口から空調空気を前席（運転席および助手席）乗員の上半身に向けて吹き出すものである。また、前席側フット開口部７は空調ケース１ａの車両後方側の面の上部の左右両側に配置され、図示しない前席側フットダクトが接続され、前席（運転席および助手席）乗員の足元部に向けて空調空気を吹き出すものである。
【００２２】
また、後席側フェイス開口部８は、空調ケース１ａの車両後方側の面の下部に配置され、図示しない後席側フェイスダクトが接続され、この後席側フェイスダクトを介して空調空気を後席乗員の上半身に向けて吹き出すものである。また、後席側フット開口部９は、空調ケース１ａの車両後方側の面の下部の左右両側に配置され、図示しない後席側フットダクトが接続され、この後席側フットダクトを介して空調空気を後席乗員の足元部に向けて空調空気を吹き出すものである。
【００２３】
また、Ｂピラー開口部１０は、空調ケース１ａの車両後方側の面の下部の左右両側に配置され、図示しないＢピラーダクトが接続され、このＢピラーダクトを介して、図示しないＢピラー（車室内空間を構成する柱のうち、側面から見て前から２番目の柱のこと）に設けられた吹出口から空調風を吹き出すものである。
【００２４】
尚、本例では、上記開口部５〜１０は、図示しないドア手段により開閉されるようになっている。
【００２５】
図２は図１中の破線（Ｃ）−（Ｃ´）における空調ユニット１の断面を矢印（Ｂ）で示した方向から見た断面図である。
【００２６】
図１および図２に示すように空調ケース１ａ内において、ヒータコア４の上方部には後述する冷風側通路開閉手段１２の構成部品の一部である、冷風側開口部１３ａが開口した冷風側開口パネル１３が設けられており、この冷風側開口部１３ａは、ヒータコア４をバイパスして冷風が流れる冷風側通路１１を形成している。尚、冷風側通路開閉手段１２は、冷風側通路１１を通過する冷風の量を調整するものである。
【００２７】
また、ヒータコア４の空気上流側には、後述する温風側通路開閉手段１４の構成部品の一部である、温風側開口部１５ａが開口した温風側開口パネル１５が設けられており、この温風側開口部１５ａは、ヒータコア４にて加熱される空気（温風）が流れる温風側通路２１を形成している。
【００２８】
尚、温風側通路開閉手段１４は、温風側通路２１を通過する温風の量を調整するものである。冷風側通路開閉手段１２と、温風側通路開閉手段１４については後に詳しく述べる。
【００２９】
温風側通路２１を通過した温風は、デフロスタ開口部５と、前席側フェイス開口部６と、前席側フット開口部７とに向かう温風（Ｈ１）と、後席側フェイス開口部８と、後席側フット開口部９と、Ｂピラー開口部１０とに向かう温風（Ｈ２）とに分かれる。
【００３０】
上記温風（Ｈ１）は、冷風側通路１１を通過した冷風と混合され、図示しないＥＣＵによって演算された目標吹出温度の空調風となり、図示しないドア手段によって、目標吹出温度に応じた所定の吹出モードで車室内に吹き出すものである。
【００３１】
また、ヒータコア４の下方には、後席側フェイス開口部８と後席側フット開口部９と、Ｂピラー開口部１０に通じる後席側冷風バイパス流路２７、および後席側冷風バイパス流路２７を通過する冷風の量を調整する後席側エアミックスドア２８が設けられている。
【００３２】
上記温風（Ｈ２）は、後席側冷風バイパス流路２７を通過した冷風と、後席側エアミックスドア２８によって調整された割合で混合され、ＥＣＵによって演算された目標吹出温度の空調風となり、図示しないドア手段によって目標吹出温度に応じた所定の吹出モードで車室内に吹き出すものである。
【００３３】
尚、本実施形態では、空調ケース１ａ内の空気通路を車両幅方向の中央部に位置する仕切り板２９によって仕切り、空調ケース１ａ内の運転席側の空気通路と助手席側の空気通路にそれぞれ、冷風側通路開閉手段１２と、温風側通路開閉手段１４とを独立に設け、運転席側と助手席側とでそれぞれ独立に操作することにより、運転席側の車室内に吹き出す空調風の温度と、助手席側の車室内に吹き出す空調風の温度を独立に調整できるようにしている。
【００３４】
冷風側通路開閉手段１２と温風側通路開閉手段１４は、運転席側と助手席側とも同一構成でよいので、図１では図示の簡略化のために、一方の冷風側通路開閉手段１２と、温風側通路開閉手段１４のみを図示した。
【００３５】
図示しないＥＣＵは、周知の演算装置であり、車室内の図示しないインストルメントパネルに設けられた操作部から入力される各種設定信号と、図示しない車室内および車室外に設置されたセンサ群から入力される各種検出信号とが入力され、これらの設定信号や検出信号に基づいて運転席側、助手席側、後席側の３つの空調ゾーンへの目標吹出温度等をそれぞれ演算し、上記冷風側通路開閉手段１２と、温風側通路開閉手段１４、および上記開口部５〜１０を開閉する図示しないドア手段を制御するものである
尚、所定の吹出モードとは、例えば、デフロスタ開口部５を開き、フロントガラスに向けて空調風を吹き出し、フロントガラスの曇り止めを行なうデフロスタモード、前席側フェイス開口部６を開き、前席乗員の上半身へ向けて空調風を吹き出す前席側フェイスモード、前席側フェイス開口部６と、前席側フット開口部７の両方を開き、前席乗員の上半身と足元の両方に空調風を吹き出す前席側バイレベルモード、前席側フット開口部７を開き、前席乗員の足元に空調風を吹き出す前席側フットモード、後席側フェイス開口部８を開き、後席乗員の上半身に向けて空調風を吹き出す後席フェイスモード、後席側フェイス開口部８と、後席側フット開口部９の両方を開き、後席乗員の上半身と足元の両方に空調風を吹き出す後席側バイレベルモード、後席側フット開口部９を開き、後席乗員の足元に空調風を吹き出す後席側フットモードなどのことである。
【００３６】
以下、図１および図３を用いて冷風側通路開閉手段１２について説明する。
【００３７】
図３は、冷風側通路開閉手段１２の単体を示した斜視図である。冷風側通路開閉手段１２は、上述した冷風側開口部１３ａが開口した平面状の冷風側開口パネル１３と、冷風側開口部１３ａを開閉する冷風側膜状部材１６と、冷風側開口部１３ａの外側に冷風側膜状部材１６の下端側を固定する冷風側固定シャフト１７（本発明の固定部）と、冷風側膜状部材１６の上端側が巻回された冷風側巻き取りシャフト１８（本発明の膜状部材巻き取り軸）と、冷風側巻き取りシャフト１８を、冷風側膜状部材１６の空気上流側の面上で回転させながら、冷風側固定シャフト１７に対して離間または接近する方向に移動させることで冷風側膜状部材１６の巻き取り、送り出しを行なう冷風側巻き取り軸駆動手段１９（本発明の膜状部材操作機構）とを備える（図３参照）。
【００３８】
尚、冷風側開口パネル１３は、空調ユニット部１内を流れる空気の上流側に上端が傾斜するようにヒータコア４の上方部配置されており、冷風側巻き取り軸駆動手段１９によって移動させられる冷風側巻き取りシャフト１８も冷風側開口パネル１３と平行な所定の平面上を移動する。
【００３９】
冷風側巻き取りシャフト１８が移動する所定の平面と、冷風側開口パネル１３は、水平方向に対して７５度の角度で傾斜している。
【００４０】
そして、この冷風側開口パネル１３に開口した冷風側開口部１３ａは、ヒータコア４をバイパスして冷風が流れる冷風側通路１１を形成している（図１参照）。
【００４１】
冷風側開口パネル１３において、冷風側開口部１３ａの空気端面の上下方向の縁には、冷風側巻き取り駆動手段１９の一部である冷風側ピニオンギア２０と噛合う冷風側ラック（上下方向に延びるギア）１３ｂが設けられている。
【００４２】
冷風側膜状部材１６は、下端側が冷風側固定シャフト１７によって冷風側開口部１３ａの外側（図２では冷風側開口部１３ａの下側）に固定され、上端側が巻回された冷風側巻き取りシャフト１８が、上述した冷風側開口パネル１３と平行な所定の平面に沿って離間または接近する方向に回転しながら移動することで、冷風側開口部１３ａの開口面積を調整するものである。
【００４３】
また、冷風側膜状部材１６の具体的材質としては、冷風側巻き取りシャフト１８に巻き取り可能な可撓性を有する樹脂フィルム材であれば、種々なものを使用でき、例えば、ＰＥＴ（ポリエチレンテレフタレート）フィルム、ＰＰＳ（ポリフェニレンサルファイド）フィルム等が好適であり、これらのフィルム材に更に織布を貼り合わせてもよい。また、膜状部材１６の厚さは例えば、２００μｍ程度である
冷風側固定シャフト１７は、冷風側膜状部材１６の下端が固定され、冷風側開口部１３ａ外側（下側）の冷風側開口パネル１３に固定されている。
【００４４】
冷風側巻き取りシャフト１８は、冷風側膜状部材１６の上端が巻回され、冷風側膜状部材１６の空気上流側で、冷風側巻き取り駆動手段１９により冷風側開口パネル１３と平行な所定の平面に沿って回転しながら移動することで、冷風側膜状部材１６を上方から巻き取り、送り出しを行なうものである。
【００４５】
冷風側膜状部材１６が冷風側開口パネル１３と平行な所定の平面に沿って回転しながら移動すると、冷風側開口パネル１３に設けられた冷風側開口部１３ａの開口面積が調整され、その結果、冷風側通路１１を通過する空気の量を調整することが可能である。
【００４６】
尚、冷風側巻き取りシャフト１６は、冷風側開口パネル１３と平行な平面に沿って移動するので、冷風側固定シャフト１７よりも冷風側巻き取りシャフト１８の方がケース１ａ内の空気上流側に位置するように傾いている。
【００４７】
冷風側巻き取り駆動手段１９は、冷風側巻き取りシャフト１８の端部に設けられ、上述の冷風側ラック１３ｂと噛合う冷風側ピニオンギア２０と、図示しないサーボモータと、サーボモータによって駆動され、冷風側開口部１３ａの側方に配置され、らせん状の溝が刻まれた円筒状のレール部材１９ａと、冷風側ピニオンギア２０の端部に設けられ、レール部材１９ａのらせん状の溝に係合する突出部１８ａとからなる。
【００４８】
円筒状のレール部材１９ａは、その端部が図示しないサーボモータの回転軸に接続されて回転駆動されるものであり、レール部材１９ａの回転に伴って、らせん状の溝が見かけ上、図３の矢印（Ａ）に示す方向に移動するものである。
【００４９】
突出部１８ａは、らせん状の溝に係合し、レール部材１９ａの回転に伴ってらせん状の溝が矢印（Ａ）の方向に見かけ上移動すると、らせん状の溝と一緒に矢印（Ａ）の方向に移動しようとするものである。
【００５０】
冷風側ピニオンギア２０は、突出部１８ａが矢印（Ａ）の方向に移動しようとすると、冷風側ラック１３ｂと噛合うことで、回転しながら矢印（Ａ）の方向へ移動し、冷風側巻き取りシャフト１８を冷風側開口パネル１３と平行な平面に沿って移動させるものである。
【００５１】
尚、冷風側ピニオンギア２０と、冷風側巻き取りシャフト１８との間には、図示しないコイルバネが取り付けられており、冷風巻き取りシャフト１８には、このコイルバネによって常に冷風側膜状部材１６を巻き取る方向の張力が働いている。また、冷風側ピニオンギア２０は冷風側巻き取りシャフト１８の両端に設けられているので、冷風側巻き取りシャフト１８は移動方向に対して常に垂直となっている。
【００５２】
次に温風側通路開閉手段１４について説明する。尚、上述した冷風側通路開閉手段１２とほぼ同様の構成であるので図示は省略する。
【００５３】
温風側通路開閉手段１４は、上述した温風側開口部１５ａが開口した平面状の温風側開口パネル１５と、温風側開口部１５ａを開閉する温風側膜状部材２２と、温風側開口部１５ａの外側に温風側膜状部材２２の下端側を固定する温風側固定シャフト２３と、温風側膜状部材２２の上端側が巻回された温風側巻き取りシャフト２４と、温風側巻き取りシャフト２３を、温風側膜状部材２２の空気上流側の面上で回転させながら、温風側固定シャフト２３に対して離間または接近する方向に移動させて、温風側膜状部材２２の巻き取り、送り出しを行なう温風側巻き取り駆動手段２５とを備える。
【００５４】
尚、温風側開口パネル１５は、空調ユニット部１内を流れる空気の上流側に上端が傾斜するようにヒータコア４の直上流に配置されており、温風側巻き取り軸駆動手段２５によって移動させられる温風側巻き取りシャフト２４も温風側開口パネル１５と平行な所定の平面上を移動する。
【００５５】
温風側巻き取りシャフト２４が移動する所定の平面と、温風側開口パネル１５は、水平方向に対して７５度の角度で傾斜している。
【００５６】
そして、この温風側開口パネル１５に開口した温風側開口部１５ａは、ヒータコア４を流れる温風側通路２１を形成している（図１参照）。
【００５７】
温風側開口パネル１５において、温風側開口部１５ａの空気流路上流側の端面の上下方向の縁には、温風側巻き取り駆動手段２５の一部である温風側ピニオンギア２６と噛合う冷風側ラック（上下方向に延びるギア）１５ｂが設けられている。
【００５８】
温風側膜状部材２２は、下端部が温風側固定シャフト２３によって温風側開口部１５ａの外側（図２では温風側開口部１５ａの下側）に固定され、上端部が巻回された温風側巻き取りシャフト２４が、上述した温風側開口パネル１５と平行な所定の平面に沿って離間または接近する方向に回転しながら移動することで、温風側開口部１５ａの開口面積を調整するものである。また、温風側膜状部材２２の具体的材質は、冷風膜状部材と同様のものである。
【００５９】
温風側固定シャフト２３は、温風側膜状部材２２の下端が固定され、温風側開口部１５ａ下側の温風側開口パネル１５に固定的に取り付けられている。
【００６０】
温風側巻き取りシャフト２４は、温風側膜状部材２２の上端側が巻回され、温風側膜状部材２２の空気上流側で、温風側巻き取り駆動手段２５により温風側開口パネル１５と平行な所定の平面に沿って回転しながら移動することで、温風側膜状部材２２を上方から巻き取り、送り出しを行なうものである。
【００６１】
温風側膜状部材２２が温風側開口パネル１５と平行な所定の平面に沿って回転しながら移動すると、温風側開口パネル１５に設けられた温風側開口部１５ａの開口面積が調整され、その結果、温風側通路２１を通過する空気の量を調整することが可能である。
【００６２】
尚、温風側巻き取りシャフト２４は、温風側開口パネル１５と平行な平面に沿って移動するので、温風側固定シャフト２３よりも温風側巻き取りシャフト２４の方がケース１ａ内の空気上流側に位置するように傾いている。
【００６３】
温風側巻き取り駆動手段２５は、温風側巻き取りシャフト２４の端部に設けられ、上述の温風側ラック１５ｂと噛合う温風側ピニオンギア２６と、図示しないサーボモータと、サーボモータによって駆動され、温風側開口部１５ａの側方に配置され、らせん状の溝が刻まれた円筒状のレール部材２５ａと、温風側ピニオンギア２６の端部に設けられ、レール部材２５ａのらせん状の溝に係合する突出部２４ａとからなる。
【００６４】
円筒状のレール部材２５ａは、その端部が図示しないサーボモータの回転軸に接続されて回転駆動されるものであり、レール部材２５ａの回転に伴って、らせん状の溝が見かけ上移動するものである。
【００６５】
突出部２４ａは、らせん状の溝に係合し、レール部材２５ａの回転に伴ってらせん状の溝が見かけ上移動すると、らせん状の溝と一緒に移動しようとするものである。
【００６６】
温風側ピニオンギア２６は、突出部２４ａが移動しようとすると、温風側ラック１５ｂと噛合うことで、回転しながら移動し、温風側巻き取りシャフト２４を温風側開口パネル１５と平行な平面に沿って移動させるものである。
【００６７】
温風側ピニオンギア２６と、温風側巻き取りシャフト２４との間には、図示しないコイルバネが取り付けられており、温風巻き取りシャフト２４には、このコイルバネによって常に温風側膜状部材２２を巻き取る方向の張力が働いている。また、温風側ピニオンギア２６は温風側巻き取りシャフト２４の両端に設けられているので、温風側巻き取りシャフト２４は移動方向に対して常に垂直となっている。
【００６８】
（本実施形態の効果）
上述したのように、本実施形態では膜状部材（１６、２２）の下端部に膜状部材巻き取りシャフト（１８、２４）が位置していないので、砂などの異物が膜状部材（１６、２２）に衝突し、膜状部材（１９、２５）に沿って落下した場合でも、異物が膜状部材（１６、２２）と巻き取りシャフト（１８、２４）との間に入り込むことがなく、膜状部材（１６、２２）が異物を巻き込む可能性を低くすることができる。
【００６９】
また、巻き取りシャフト（１８、２４）が、所定の平面に沿って回転しながら移動し、この所定の平面が固定シャフト（１７、２３）よりも巻き取りシャフト（１８、２４）の方が空気上流側に位置するように水平面に対して７５度傾いているので、空気流は、膜状部材（１６、２２）の上流側表面に沿って巻き取りシャフト（１８、２４）側から固定シャフト（１７、２３）側に向かって流れる。
【００７０】
よって、空気通路内に異物が混入して膜状部材（１６、２２）の空気上流側表面に衝突した場合でも、異物は膜状部材（１６、２２）の空気上流側表面に沿って流れる空気流によって固定シャフト（１７、２３）側に押し出されることになるが、このとき巻き取りシャフト（１８、２４）は固定シャフト（１７、２３）よりも空気上流側、即ち、固定シャフト（１７、２３）とは膜状部材（１６、２２）の反対側にあるため、膜状部材（１６，２２）と巻き取りシャフト（１８、２４）との間に異物が入り込む可能性を更に低くすることができる。
【００７１】
以上より、膜状部材（１６、２２）が異物を巻き込むことが原因でシール性が悪化することによる異音の発生、膜状部材操作機構（１９、２５）の作動不良などの問題の発生を未然に防止することができる。
【００７２】
（他の実施形態）
上記実施形態では、開口パネル（１３、１５）の下側に固定シャフト（１７、２３）を固定するようにしたが、本発明はこれに限定されるものではなく、膜状部材（１６、２２）の下端側を開口部（１３ａ、１５ａ）の外側に固定することができればよく、開口部パネル（１３、１５）の下側側方に膜状部材（１６、２２）を固定するようにしてもよい。
【００７３】
また、上記実施形態では、固定シャフト（１７、２３）によって膜状部材（１６、２２）を固定するようにしたが、本発明はこれに限定されるものではなく、膜状部材（１６、２２）を固定することが出来れば固定部（１７、２３）はどのようなものであってもよい。
【００７４】
上記実施形態では、開口パネル（１３、１５）を、空調ユニット部１内を流れる空気の上流側に上端が水平方向に対して７５度の角度で傾斜させたが、これは最も好ましい一例であり、本発明はこれに限定されるものではなく、膜状部材巻き取りシャフト（１８、２４）を、固定シャフト（１７、２３）よりも上方で、膜状部材（１６、２２）の空気上流側の面上で回転させながら、固定シャフト（１７、２３）に対して離間または接近するように移動させて、膜状部材（１６、２２）の巻き取り、送り出しを行なうように膜状部材操作機構（１９、２５）を構成しさえすれば、異物を膜状部材（１６、２２）に巻き込む可能性を低くすることができ、膜状部材巻き取り軸（１８、２４）が、ケース（１ａ）内の空気流れにおいて、固定部（１７、２３）と同等か、もしくは固定部（１７、２３）より空気上流側に位置するように膜状部材操作機構（１９、２５）を構成すれば、異物は重力に従って、膜状部材（１６、２２）から固定部（１７、２３）側に落下するので、異物を膜状部材（１６、２２）に巻き込む可能性をより低くすることができる。
【００７５】
さらに、膜状部材巻き取り軸（１８、２４）が、ケース（１ａ）内の空気流れにおいて、固定部（１７、２３）より空気上流側に位置するように膜状部材操作機構（１９、２５）を構成すれば、膜状部材（１６、２２）の空気上流側表面に沿って流れる空気流によって異物が固定部（１７、２３）側に押し出されるという効果を得ることができ、異物を膜状部材（１６、２２）に巻き込む可能性をよりいっそう低くすることができる。
【００７６】
また、膜状部材巻き取り軸（１８、２４）が所定の平面状を移動し、この所定の平面が水平面に対して４５度以上、９０度未満の角度で傾斜するように膜状部材操作機構（１９、２５）を構成すれば、膜状部材（１６、２２）の空気上流側表面に沿って流れる空気流によって異物が固定部（１７、２３）側に押し出されるという効果を損なうことなく、空気通路開閉手段（１２、１４）の搭載スペースを小さくすることができるので好ましく、より好ましくは、６５度以上、８５度以下の角度で傾斜、更に好ましくは７０度以上、８０度以下の角度で傾斜させるとよい。
【００７７】
また、上記実施形態では、巻き取り駆動手段（１９、２５）を、らせん状の溝が設けられたレール部材（１９ａ、２５ａ）と、レール部材（１９ａ、２５ａ）に係合する突出部（１８ａ、２４ａ）と、ピニオンギア（２０、２６）と、ラック（１３ｂ、１５ｂ）とから構成したが、本発明はこれに限定されるものではなく、膜状部材巻き取り軸（１８、２４）を膜状部材（１６、２２）の空気上流側の面上で回転させながら、固定部（１７、２３）に対して離間または接近させる方向に移動させることが可能であれば、どのような駆動手段を用いるようにしてもよい。
【００７８】
また、上記実施形態では、膜状部材巻き取り軸（１８、２４）が所定の平面に沿って回転しながら移動するように膜状部材操作機構（１９、２５）を構成したが、本発明はこれに限定されるものではなく、膜状部材巻き取り軸（１８、２４）が曲面に沿って回転しながら移動するように膜状部材操作機構（１９、２５）を構成するようにしてもよい。
【００７９】
尚、上記実施形態では左ハンドルの車両に搭載される車両用空調装置に本発明を適用したが、これは単なる一例であって、当然、右ハンドルの車両に搭載される車両用空調装置に適用しもよく、通風路内に開口部を有する構成であればどのようなものに適用してもよい。
【００８０】
また、上記実施形態では、固定部（１７、２３）によって膜状部材（１６、２２）の下端を開口部（１３ａ、１５ａ）に固定し、膜状部材巻き取り軸（１８、２４）に膜状部材（１６、２２）の上端側を巻回し、固定部（１７、２３）よりも膜状部材巻き取り軸（１８、２４）の方が空気上流側に位置するように構成したが、固定部（１７、２３）によって膜状部材（１６、２２）の上端を開口部（１３ａ、１５ａ）に固定し、膜状部材巻き取り軸（１８、２４）に膜状部材（１６、２２）の下端側を巻回し、固定部（１７、２３）よりも膜状部材巻き取り軸（１８、２４）の方が空気上流側に位置するように構成したとしても、膜状部材（１６、２２）の空気上流側表面にそって膜状部材巻き取り軸（１８、２４）側から固定部（１７、２３）側へ空気流が流れるので、異物が膜状部材（１６、２２）の空気上流側表面に衝突した場合でも、膜状部材（１６、２２）の空気上流側端面を流れる空気流によって異物が固定部（１７、２３）側に押し出されるという効果を損なうことはない。
【図面の簡単な説明】
【００８１】
【図１】実施形態における空調ユニット部１の断面を示す模式図である。
【図２】図１中の矢印（Ｂ）で示した方向から空調ユニット部１を見た図である。
【図３】実施形態における冷風側通路開閉手段１２の構成を示す図である。
【符号の説明】
【００８２】
１      空調ユニット部
１ａ    空調ケース
１ｂ    接続ダクト
２      空気入口空間
３      蒸発器
４      ヒータコア
５      デフロスタ開口部
６      前席側フェイス開口部
７      前席側フット開口部
８      後席側フェイス開口部
９      後席側フット開口部
１０    Ｂピラー開口部
１１    冷風側通路
１２    冷風側通路開閉手段
１３    冷風側開口パネル
１３ａ  冷風側開口部
１３ｂ  冷風側ラック
１４    温風側通路開閉手段
１５    温風側開口パネル
１５ａ  温風側開口部
１５ｂ  温風側ラック
１６    冷風側膜状部材
１７    冷風側固定シャフト
１８    冷風側巻き取りシャフト
１８ａ  突出部
１９    冷風側巻き取り駆動手段
１９ａ  レール部材
２０    冷風側ピニオンギア
２１    温風側通路
２２    温風側膜状部材
２３    温風側固定シャフト
２４    温風側巻き取りシャフト
２４ａ  突出部
２５    温風側巻き取り駆動手段
２５ａ  レール部材
２６    温風側ピニオンギア
２７    後席側冷風バイパス流路
２８    後席側エアミックスドア
２９    仕切板
【図１】
2005199988.tif 000003
【図２】
2005199988.tif 000004
【図３】
2005199988.tif 000005